(57)【要約】提供されるものは、リソースを選択するための方法および装置である。リソースを選択するための方法は、ユーザ機器（ＵＥ）によって、ネットワーク側デバイスによって構成される、ダウンリンクの伝送構成インジケータ（ＴＣＩ）状態を受信することであって、ＴＣＩ状態は、少なくとも、複数個の疑似コロケーション（ＱＣＬ）情報を含み、複数個のＱＣＬ情報は、少なくとも、基準信号（ＲＳ）と、ＲＳに対応するＱＣＬタイプとを含む、ことと、ＵＥによって、ＲＳを選択し、ＲＳまたはＱＣＬタイプのうちの少なくとも一方に従って無線リンク監視（ＲＬＭ）を実施することとを含む。さらに提供されるものは、記憶媒体および電子装置である。
2021522752.tif 000002
【特許請求の範囲】
【請求項１】
リソースを選択するための方法であって、
ユーザ機器（ＵＥ）によって、ネットワーク側デバイスによって構成されるダウンリンクの伝送構成インジケータ（ＴＣＩ）状態を受信することであって、前記ＴＣＩ状態は、少なくとも、複数個の疑似コロケーション（ＱＣＬ）情報を含み、前記複数個のＱＣＬ情報は、少なくとも、基準信号（ＲＳ）と、前記ＲＳに対応するＱＣＬタイプとを含む、ことと、
前記ＵＥによって、ＲＳを選択し、前記ＲＳまたは前記ＱＣＬタイプのうちの少なくとも一方に従って無線リンク監視（ＲＬＭ）を実施することと
を含む、方法。
【請求項２】
前記ＵＥによって、前記ネットワーク側デバイスによって構成される複数の帯域幅部分（ＢＷＰ）を受信することであって、前記複数のＢＷＰは、前記ネットワーク側デバイスによってシステム帯域幅を複数の部分に分割することによって取得される、ことと、
前記ＵＥによって、前記ネットワーク側デバイスによって構成される前記複数のＢＷＰ内の１つ以上のアクティブなＢＷＰ上で、前記ネットワーク側デバイスによって送信される信号を受信すること、または前記ＵＥによって、前記ネットワーク側デバイスによって構成される前記複数のＢＷＰ内の１つ以上のアクティブなＢＷＰ上で、前記ネットワーク側デバイスに信号を伝送することと
をさらに含む、請求項１に記載の方法。
【請求項３】
前記ＵＥによって、前記ＲＳを選択し、前記ＲＳまたは前記ＱＣＬタイプのうちの少なくとも一方に従って前記ＲＬＭを実施することは、
前記ＵＥによって、前記複数個のＱＣＬ情報内の前記アクティブなＢＷＰの中に位置する、１つのＲＳを選択し、前記ＲＬＭを実施すること、または
前記ＵＥによって、候補ＲＳとして、前記複数個のＱＣＬ情報内の前記アクティブなＢＷＰの中に位置する、複数のＲＳを選択することであって、前記候補ＲＳは、前記ＲＬＭを実施される能力を有する、こと
を含む、請求項２に記載の方法。
【請求項４】
前記ＵＥが、前記候補ＲＳとして、前記複数個のＱＣＬ情報内の前記アクティブなＢＷＰの中に位置する、前記複数のＲＳを選択する条件において、前記ＵＥによって、前記ＲＳを選択し、前記複数個のＱＣＬ情報内の前記ＲＳまたは前記ＱＣＬタイプのうちの少なくとも一方に従って前記ＲＬＭを実施することはさらに、
前記ＵＥによって、複数の前記候補ＲＳに対応する、前記アクティブなＢＷＰの優先順位を構成すること、または前記ＵＥによって、前記ネットワーク側デバイスによって構成される、前記アクティブなＢＷＰの優先順位を入手すること、または前記ＵＥによって、プロトコルによって規定される、前記アクティブなＢＷＰの優先順位を入手することと、
前記ＵＥによって、最高優先度を有するアクティブなＢＷＰに対応するＲＳを選択し、前記アクティブなＢＷＰの優先順位に従って前記ＲＬＭを実施することと
を含む、請求項３に記載の方法。
【請求項５】
前記ＵＥによって、前記ＲＳを選択し、前記ＱＣＬタイプに従って前記ＲＬＭを実施することはさらに、
前記ＵＥによって、前記ＱＣＬタイプの優先順位を構成すること、または前記ＵＥによって、前記ネットワーク側デバイスによって構成される、前記ＱＣＬタイプの優先順位を入手すること、または前記ＵＥによって、前記プロトコルによって規定される、前記ＱＣＬタイプの優先順位を入手することと、
前記ＵＥによって、最高優先度を有するＱＣＬタイプに対応するＲＳを選択し、前記ＱＣＬタイプの優先順位に従って前記ＲＬＭを実施することと
を含む、請求項１−４のいずれか１項に記載の方法。
【請求項６】
前記ＵＥによって、前記ＲＳを選択し、前記ＲＳに従って前記ＲＬＭを実施することはさらに、
前記ＵＥによって、前記ＲＳに対応するＲＳタイプの優先順位を構成すること、または前記ＵＥによって、前記ネットワーク側デバイスによって構成される、前記ＲＳに対応するＲＳタイプの優先順位を入手すること、または前記ＵＥによって、前記プロトコルによって規定される、前記ＲＳに対応するＲＳタイプの優先順位を入手することと、
前記ＵＥによって、最高優先度を有するＲＳを選択し、前記ＲＳタイプの優先順位に従って前記ＲＬＭを実施することと
を含む、請求項１−４のいずれか１項に記載の方法。
【請求項７】
前記ＵＥによって、前記ＲＳを選択し、前記ＲＳおよび前記ＱＣＬタイプに従って前記ＲＬＭを実施することはさらに、
前記ＵＥによって、前記ＲＳに対応する、前記ＱＣＬタイプとＲＳタイプとの組み合わせ優先順位を構成すること、または前記ＵＥによって、前記ＲＳに対応するＲＳタイプと、前記ネットワーク側デバイス構成される前記ＱＣＬタイプとの組み合わせ優先順位を入手すること、または前記ＵＥによって、前記ＲＳに対応するＲＳタイプと、前記プロトコルによって規定される前記ＱＣＬタイプとの組み合わせ優先順位を入手することと、
前記ＵＥによって、最高の組み合わせ優先度を有するＲＳを選択し、前記組み合わせ優先順位に従って前記ＲＬＭを実施することと
を含む、請求項１−４のいずれか１項に記載の方法。
【請求項８】
ＲＳタイプは、同期信号および物理ブロードキャストチャネルブロック（ＳＳ／ＰＢＣＨブロック）、チャネル状態情報基準信号（ＣＳＩ−ＲＳ）、または追跡基準信号（ＴＲＳ）のうちの少なくとも１つを含む、請求項１に記載の方法。
【請求項９】
前記ＱＣＬタイプは、
ドプラ偏移、ドプラ分散、平均遅延、および遅延分散を搬送する、第１のＱＣＬタイプ、
ドプラ偏移およびドプラ分散を搬送する、第２のＱＣＬタイプ、
平均遅延およびドプラ偏移を搬送する、第３のＱＣＬタイプ、または
空間受信（Ｒｘ）パラメータを搬送する、第４のＱＣＬタイプ
うちの少なくとも１つを含む、請求項１に記載の方法。
【請求項１０】
前記ダウンリンクは、物理ダウンリンク制御チャネル（ＰＤＣＣＨ）または物理ダウンリンク共有チャネル（ＰＤＳＣＨ）を含む、請求項１に記載の方法。
【請求項１１】
ユーザ機器（ＵＥ）内に位置する、リソースを選択するための装置であって、
ネットワーク側デバイスによって構成されるダウンリンクの伝送構成インジケータ（ＴＣＩ）状態を受信するように構成されている、第１の受信モジュールであって、前記ＴＣＩ状態は、少なくとも、複数個の疑似コロケーション（ＱＣＬ）情報を含み、前記複数個のＱＣＬ情報は、少なくとも、基準信号（ＲＳ）と、前記ＲＳに対応するＱＣＬタイプとを含む、第１の受信モジュールと、
ＲＳを選択し、前記ＲＳまたは前記ＱＣＬタイプのうちの少なくとも一方に従って無線リンク監視（ＲＬＭ）を実施するように構成されている、選択モジュールと
を備える、装置。
【請求項１２】
前記ネットワーク側デバイスによって構成される複数の帯域幅部分（ＢＷＰ）を受信するように構成されている、第２の受信モジュールであって、前記複数のＢＷＰは、前記ネットワーク側デバイスによってシステム帯域幅を複数の部分に分割することによって取得される、第２の受信モジュールと、
前記ネットワーク側デバイスによって構成される前記複数のＢＷＰ内の１つ以上のアクティブなＢＷＰ上で、前記ネットワーク側デバイスによって送信される信号を受信すること、または前記ネットワーク側デバイスによって構成される前記複数のＢＷＰ内の１つ以上のアクティブなＢＷＰ上で、前記ネットワーク側デバイスに前記信号を送信することを行うように構成されている、伝送モジュールと
をさらに備える、請求項１１に記載の装置。
【請求項１３】
前記選択モジュールは、
前記複数個のＱＣＬ情報内の前記アクティブなＢＷＰの中に位置する１つのＲＳを選択し、前記ＲＬＭを実施すること、または候補ＲＳとして、前記アクティブなＢＷＰ内、および前記複数個のＱＣＬ情報内に位置する、複数のＲＳを選択することであって、前記候補ＲＳは、前記ＲＬＭを実施される能力を有する、こと
を行うように構成されている、請求項１１に記載の装置。
【請求項１４】
前記アクティブなＢＷＰ内、および前記複数個のＱＣＬ情報内に位置する、前記複数のＲＳが、前記候補ＲＳとして選択される条件において、前記選択モジュールはさらに、
複数の前記候補ＲＳに対応する、前記アクティブなＢＷＰの優先順位を構成すること、または前記ネットワーク側デバイスによって構成される、前記アクティブなＢＷＰの優先順位を入手すること、またはプロトコルによって規定される、前記アクティブなＢＷＰの優先順位を入手することと、
最高優先度を有するアクティブなＢＷＰに対応するＲＳを選択し、前記アクティブなＢＷＰの優先順位に従って前記ＲＬＭを実施することと
を行うように構成されている、請求項１３に記載の装置。
【請求項１５】
前記選択モジュールはさらに、
前記ＱＣＬタイプの優先順位を構成すること、または前記ネットワーク側デバイスによって構成される、前記ＱＣＬタイプの優先順位を入手すること、または前記プロトコルによって規定される、前記ＱＣＬタイプの優先順位を入手することと、
最高優先度を有するＱＣＬタイプに対応するＲＳを選択し、前記ＱＣＬタイプの優先順位に従って前記ＲＬＭを実施することと
を行うように構成されている、請求項１１−１４のいずれか１項に記載の装置。
【請求項１６】
前記選択モジュールはさらに、
前記ＲＳに対応するＲＳタイプの優先順位構成すること、または前記ネットワーク側デバイスによって構成される、前記ＲＳに対応するＲＳタイプの優先順位を入手すること、または前記プロトコルによって規定される、前記ＲＳに対応するＲＳタイプの優先順位を入手することと、
最高優先度を有するＲＳを選択し、前記ＲＳタイプの優先順位に従って前記ＲＬＭを実施することと
を行うように構成されている、請求項１１−１４のいずれか１項に記載の装置。
【請求項１７】
前記選択モジュールはさらに、
前記ＵＥによって、前記ＲＳに対応する、前記ＱＣＬタイプとＲＳタイプとの組み合わせ優先順位を構成すること、または前記ＵＥによって、前記ＲＳに対応するＲＳタイプと、前記ネットワーク側デバイスによって構成される前記ＱＣＬタイプとの組み合わせ優先順位を入手すること、または前記ＵＥによって、前記ＲＳに対応するＲＳタイプと、前記プロトコルによって規定される前記ＱＣＬタイプとの組み合わせ優先順位を入手することと、
最高の組み合わせ優先度を有するＲＳを選択し、前記組み合わせ優先順位に従って前記ＲＬＭを実施することと
を行うように構成されている、請求項１１−１４のいずれか１項に記載の装置。
【請求項１８】
コンピュータ命令を記憶するように構成されている、記憶媒体であって、前記コンピュータ命令は、実行されると、請求項１−１０のいずれか１項に記載の方法を実行する、記憶媒体。
【請求項１９】
メモリと、プロセッサとを備える、電子装置であって、前記メモリは、コンピュータプログラムを記憶するように構成され、前記プロセッサは、請求項１−１０のいずれか１項に記載の方法を実行するために、前記コンピュータプログラムを実行するように構成されている、電子装置。
【発明の詳細な説明】
【技術分野】
【０００１】
本願は、その開示が参照することによってその全体として本明細書に組み込まれる、２０１８年５月１１日にＣＮＩＰＡに出願された、中国特許出願第２０１８１０４５０４０５．３号の優先権を主張する。
【０００２】
（技術分野）
本開示は、通信分野に関し、具体的には、リソースを選択するための方法および装置に関する。
【背景技術】
【０００３】
（背景）
無線技術における継続的な進歩に伴って、種々の無線サービスが、繁盛している。しかしながら、無線サービスをサポートするためのスペクトルリソースが、限定されている。増加される帯域幅要件に伴って、３００ＭＨｚ〜３ＧＨｚのスペクトルリソースが、主に、従来的な商業通信において使用され、極めて酷使されており、将来的な無線通信の要件を充足することができない。
【０００４】
将来的無線通信において、２８ＧＨｚおよび４５ＧＨｚ等の第４世代（４Ｇ）通信システムによって使用されるキャリア周波数よりも高いキャリア周波数を用いた通信をサポートするように拡張され、システムのための潜在的動作周波数帯域が、１００ＧＨｚに到達する。（６ＧＨｚを上回る）高周波数帯域では、電磁波の大きい減衰に起因して、信号の減衰に耐え、信号の伝送距離を増加させるためのビーム形成方法が、通常、要求される。したがって、信号は、通常、ビームの形態で送信または受信される。概して、ネットワーク側は、ＵＥが通信するためにより良好な品質を有する、１つ以上のビームを構成する。ビームの信号品質が、常時変化するため、構成されるビームもまた、ＵＥによって使用されるビームの信号品質が、常時、通信の要件を充足し得るように、絶えず変化する。
【０００５】
正常な通信を確実にするために、ユーザ機器（ＵＥ）は、現在のリンクの品質を定期的に検出する必要がある。物理層は、上位層が、ＵＥの現在の状態を把握するように、定期的に、同期（ＩＳ）インジケーションまたは非同期（ＯＯＳ）インジケーションを上位層に送信する。通常、ネットワーク側は、ＵＥが信号品質を測定するための具体的な基準信号のセットを構成する。具体的な基準信号が、ネットワーク側において構成されないとき、ＵＥは、無線リンク監視（ＲＬＭ）のためにネットワーク側において構成される、物理ダウンリンク制御チャネル（ＰＤＣＣＨ）の伝送構成インジケータ（ＴＣＩ）状態内に示される、基準信号（ＲＳ）を使用する。最大で２つのＲＳが、ＵＥのための複数のアクティブなＴＣＩ状態が、同時に存在するため、ＴＣＩ状態内に示され得、ＵＥが、これらの複数のＴＣＩ状態内の全てのＲＳを検出する場合、測定の複雑性および電力消費量に関連する多くの問題が、もたらされるであろう。加えて、いくつかのＲＳは、ＵＥがＲＬＭを実施するために好適ではない。したがって、ＵＥがＲＬＭを実施するために好適なＲＳを選定する方法が、解決されるべき緊急の問題である。
【発明の概要】
【発明が解決しようとする課題】
【０００６】
（要約）
本開示の実施形態は、少なくとも、好適なＲＳが、ＲＬＭのために選択され得ないため、複数のＴＣＩ状態内で全てのＲＳを検出するときに関連技術においてＵＥにもたらされる、測定の複雑性および電力消費量に関連する多くの問題を解決するための、リソースを選択するための方法および装置を提供する。
【課題を解決するための手段】
【０００７】
本開示のある実施形態によると、リソースを選択するための方法が、提供される。本方法は、下記に説明されるステップを含む。ユーザ機器（ＵＥ）が、ネットワーク側デバイスによって構成される、ダウンリンクの伝送構成インジケータ（ＴＣＩ）状態を受信し、ＴＣＩ状態は、少なくとも、複数個の疑似コロケーション（ＱＣＬ）情報を含み、複数個のＱＣＬ情報は、少なくとも、基準信号（ＲＳ）と、ＲＳに対応するＱＣＬタイプとを含む。ＵＥは、ＲＳを選択し、ＲＳまたはＱＣＬタイプのうちの少なくとも一方に従って無線リンク監視（ＲＬＭ）を実施する。
【０００８】
本開示の別の実施形態によると、リソースを選択するための装置がさらに、提供される。本装置は、第１の受信モジュールと、選択モジュールとを含む。第１の受信モジュールは、ネットワーク側デバイスによって構成される、ダウンリンクの伝送構成インジケータ（ＴＣＩ）状態を受信するように構成され、ＴＣＩ状態は、少なくとも、複数個の疑似コロケーション（ＱＣＬ）情報を含み、複数個のＱＣＬ情報は、少なくとも、基準信号（ＲＳ）と、ＲＳに対応するＱＣＬタイプとを含む。選択モジュールは、ＲＳを選択し、ＲＳまたはＱＣＬタイプのうちの少なくとも一方に従って無線リンク監視（ＲＬＭ）を実施するように構成される。
【０００９】
本開示の別の実施形態によると、記憶媒体がさらに、提供される。記憶媒体は、コンピュータプログラムを記憶し、コンピュータ命令は、実行されると、上記に説明される方法実施形態のいずれか１つのステップを実行する。
【００１０】
本開示の別の実施形態によると、メモリと、プロセッサとを含む、電子装置がさらに、提供される。メモリは、コンピュータプログラムを記憶するように構成され、プロセッサは、上記に説明される方法実施形態のいずれか１つのステップを実行するためにコンピュータプログラムを実行するように構成される。
【００１１】
本明細書に説明される図面は、本開示のさらなる理解を提供し、本願の一部を形成するために使用される。本開示におけるその例示的実施形態および説明は、本開示を説明するために使用され、本開示をいかなる不適切な方法においても限定するものではない。
【図面の簡単な説明】
【００１２】
【図１】図１は、本開示の実施形態に従ってリソースを選択するための方法を実行するための、モバイル端末のハードウェア構造のブロック図である。
【図２】図２は、本開示の実施形態に従ってリソースを選択するための方法のフローチャートである。
【図３】図３は、本開示の実施形態に従ってリソースを選択するための装置の構造図である。
【図４】図４は、本開示の実施形態に従ってリソースを選択するための別の装置の構造図である。
【発明を実施するための形態】
【００１３】
（詳細な説明）
本開示は、以降において、図面を参照し、実施形態と併せて詳細に説明されるであろう。不一致が生じていない場合、本願におけるその中の実施形態および特徴が、相互と組み合わせられ得ることに留意されたい。
【００１４】
本開示の説明、請求項、および上記の図面における、用語「第１の」、「第２の」、ならびに同等物が、類似する物体を区別するために使用され、必ずしも特定の順序またはシーケンスを説明するために使用されるものではないことに留意されたい。
【００１５】
実施形態１
本願の実施形態１によって提供される方法実施形態は、モバイル端末、コンピュータ端末、または他の類似するコンピューティング装置において実行され得る。モバイル端末において実施されるべき方法を実施例として取り上げると、図１は、本開示の実施形態に従ってリソースを選択するための方法を実行するための、モバイル端末のハードウェア構造のブロック図である。図１に示されるように、モバイル端末１０は、１つ以上の（１つのみが、図１に示されている）プロセッサ１０２（プロセッサ１０２は、限定ではないが、マイクロコントローラユニット（ＭＣＵ）もしくはフィールドプログラマブルゲートアレイ（ＦＰＧＡ）等の処理装置を含み得る）と、データを記憶するために使用される、メモリ１０４とを含んでもよく、随意に、モバイル端末はさらに、通信機能を実装するために使用される、入出力デバイス１０８と、伝送装置１０６とを含んでもよい。図１に示される構造が、例証的にすぎず、前述のモバイル端末の構造を限定することは意図していないことが、当業者によって理解されるはずである。例えば、モバイル端末１０はさらに、図１に示される構成要素よりも多い、またはそれよりも少ない構成要素を含んでもよい、もしくは図１に示される構成と異なる構成を有してもよい。
【００１６】
メモリ１０４は、本開示の実施形態における、リソースを選択するための方法に対応するコンピュータプログラム等、アプリケーションソフトウェアのソフトウェアプログラムおよびモジュール等の、コンピュータプログラムを記憶するために使用され得る。プロセッサ１０２は、１つ以上の機能アプリケーションおよびデータ処理を実施する、すなわち、上記に説明される方法を実装するように、メモリ１０４の中に記憶される、コンピュータプログラムを実行する。メモリ１０４は、高速ランダムアクセスメモリを含んでもよい、またはさらに、１つ以上の磁気記憶装置、フラッシュメモリ、もしくは他の不揮発性ソリッドステートメモリ等の不揮発性メモリを含んでもよい。いくつかの実施例では、メモリ１０４はさらに、プロセッサ１０２に対して遠隔に配置される、メモリを含んでもよい。これらの遠隔メモリは、ネットワークを介してモバイル端末１０に接続されてもよい。上記のネットワークの実施例は、限定ではないが、インターネット、イントラネット、ローカルエリアネットワーク、モバイル通信ネットワーク、およびそれらの組み合わせを含む。
【００１７】
伝送装置１０６は、ネットワークを介してデータを受信または伝送するように構成される。上記のネットワークの具体的な実施例は、モバイル端末１０の通信プロバイダによって提供される、無線ネットワークを含み得る。ある実施例では、伝送装置１０６は、基地局を介して他のネットワークデバイスに接続され、それによって、インターネットと通信し得る、ネットワークインターフェースコントローラ（ＮＩＣ）を含む。一実施例では、伝送装置１０６は、無線でインターネットと通信するように構成される、無線周波数（ＲＦ）モジュールであってもよい。
【００１８】
上記に説明されるモバイル端末において実行されるべきリソースを選択するための方法が、本実施形態に提供される。図２は、本開示の実施形態に従ってリソースを選択するための方法のフローチャートである。図２に示されるように、本方法は、下記に説明されるステップを含む。
【００１９】
ステップ２０２において、ユーザ機器（ＵＥ）が、ネットワーク側デバイスによって構成される、ダウンリンクの伝送構成インジケータ（ＴＣＩ）状態を受信し、ＴＣＩ状態は、少なくとも、複数個の疑似コロケーション（ＱＣＬ）情報を含み、複数個のＱＣＬ情報は、少なくとも、基準信号（ＲＳ）と、ＲＳに対応するＱＣＬタイプとを含む。ステップＳ２０４において、ＵＥは、ＲＳを選択し、ＲＳまたはＱＣＬタイプのうちの少なくとも一方に従って無線リンク監視（ＲＬＭ）を実施する。
【００２０】
本開示を通して、ネットワーク側デバイスによって送信される、ＴＣＩ状態内の複数個のＱＣＬ情報の中の各ＲＳおよび対応するＱＣＬタイプが、選別され、次いで、ＲＬＭのために使用されるべきＲＳが、選択され得る。したがって、好適なＲＳが、ＲＬＭのために選択され得ないため、複数のＴＣＩ状態内で全てのＲＳを検出するときに関連技術においてＵＥにもたらされる、測定の複雑性および電力消費量に関連する多くの問題が、解決され、ＵＥの測定オーバーヘッドを低減させる効果を達成し得る。
【００２１】
一実施形態では、ＵＥのＰＤＣＣＨのＴＣＩ状態が、複数個のＱＣＬ情報、すなわち、複数のＲＳを含むとき、ＵＥは、ＲＬＭのために使用される、１つのＲＳを選択する。
【００２２】
一実施形態では、複数個のＱＣＬ情報はさらに、ＴＣＩ状態を識別するために使用される、ＴＣＩ状態ＩＤを含む。
【００２３】
一実施形態では、モバイル通信において、接続状態にあるＵＥは、ダウンリンクの信号品質を定期的に検出および評価する必要があり、ＵＥの物理層は、評価結果に従って、上位層にＩＳインジケーションまたはＯＯＳインジケーションを送信する。ネットワーク側は、検出のために、ＵＥのための複数のＲＳを構成してもよい。ＵＥは、これらのＲＳを別個に測定、フィルタリング、および評価する。全てのＲＳの信号品質が、閾値を下回るとき、物理層は、上位層にＯＯＳインジケーションを報告する。少なくとも１つのＲＳの信号品質が、閾値を上回るとき、物理層は、上位層にＩＳインジケーションを報告する。本プロセスはまた、無線リンク監視と呼ばれる。
【００２４】
一実施形態では、ＲＳタイプは、同期信号および物理ブロードキャストチャネルブロック（ＳＳ／ＰＢＣＨブロック）、チャネル状態情報基準信号（ＣＳＩ−ＲＳ）、および追跡基準信号（ＴＲＳ）のうちの少なくとも１つを含む。
【００２５】
一実施形態では、ＱＣＬタイプは、ドプラ偏移、ドプラ分散、平均遅延、および遅延分散を搬送する、第１のＱＣＬタイプ、ドプラ偏移およびドプラ分散を搬送する、第２のＱＣＬタイプ、平均遅延およびドプラ偏移を搬送する、第３のＱＣＬタイプ、または空間受信（Ｒｘ）パラメータを搬送する、第４のＱＣＬタイプのうちの少なくとも１つを含む。
【００２６】
２つのＲＳが、ＱＣＬ関係を有し、ＱＣＬタイプが、第１のＱＣＬタイプである場合、ＵＥの受信に関して、これらの２つのＲＳが、同一または類似のドプラ偏移と、ドプラ分散と、平均遅延と、遅延分散とを有すること、すなわち、ＵＥが、これらの２つのＲＳのドプラ偏移、ドプラ分散、平均遅延、および遅延分散が、同一である、もしくは類似することを検出することに留意されたい。２つのＲＳが、ＱＣＬ関係を有し、ＱＣＬタイプが、第２のＱＣＬタイプである場合、ＵＥの受信に関して、これらの２つのＲＳは、同一または類似のドプラ偏移と、ドプラ分散とを有する、すなわち、ＵＥは、これらの２つのＲＳのドプラ偏移およびドプラ分散が、同一である、もしくは類似することを検出する。２つのＲＳが、ＱＣＬ関係を有し、ＱＣＬタイプが、第３のＱＣＬタイプである場合、ＵＥの受信に関して、これらの２つのＲＳは、同一または類似の平均遅延と、ドプラ偏移とを有する、すなわち、ＵＥは、これらの２つのＲＳの平均遅延およびドプラ偏移が、同一である、もしくは類似することを検出する。２つのＲＳが、ＱＣＬ関係を有し、ＱＣＬタイプが、第４のＱＣＬタイプである場合、ＵＥの受信に関して、ＵＥは、２つのＲＳが、同一または類似する空間方向を有する、もしくはこれらの２つのＲＳの伝送ビーム方向が、同一である、または類似することを検出する。２つのＲＳが、ＱＣＬ関係を有し、ＱＣＬタイプが、上記に述べられるＱＣＬタイプのうちの１つを上回る場合、ＵＥの視点から、２つのＲＳは、複数のＱＣＬタイプの特徴を同時に満たす。
【００２７】
一実施形態では、ＵＥは、ネットワーク側デバイスによって構成される、複数の帯域幅部分（ＢＷＰ）上で、信号を受信し、複数のＢＷＰは、ネットワーク側デバイスによってシステム帯域幅を複数の部分に分割することによって取得される。ＵＥは、ネットワーク側デバイスによって構成される、複数のＢＷＰ内の１つ以上のアクティブ化されたＢＷＰ上で、ネットワーク側デバイスによって送信される信号を受信する、またはＵＥは、ネットワーク側デバイスによって構成される、複数のＢＷＰ内の１つ以上のアクティブ化されたＢＷＰ上で、ネットワーク側デバイスに信号を伝送する。
【００２８】
ＵＥに関して、ネットワーク側から信号を受信すること、およびネットワークに信号を送信することをより良好に促進するために、通常、ネットワーク側が、システム帯域幅を複数の部分に分割し得、各部分が、１つのＢＷＰと呼ばれることに留意されたい。ネットワーク側は、ＵＥのための複数のＢＷＰを同時に構成し、複数のＢＷＰのうちの１つ以上をアクティブ化してもよい。ＵＥは、アクティブ化されたダウンリンクＢＷＰ上で、ネットワーク側によって送信される信号のみを受信し、アクティブ化されたアップリンクＢＷＰ上で、信号を送信する。
【００２９】
一実施形態では、ＵＥは、複数個のＱＣＬ情報内のアクティブ化されたＢＷＰの中に位置する、１つのＲＳを選択し、ＲＬＭを実施する、または候補ＲＳとして、複数個のＱＣＬ情報内のアクティブ化されたＢＷＰの中に位置する、複数のＲＳを選択し、候補ＲＳは、ＲＬＭを実施される能力を有する。
【００３０】
具体的には、ネットワーク側デバイスとユーザ機器との間で送信および受信される（ＲＳ等の）信号の数が、小さいとき、リソースの浪費を回避するために、ネットワーク側デバイスは、信号の伝送および受信のために、１つのアクティブ化されたＢＷＰのみをＵＥに配分し得る。したがって、ＵＥが、ネットワーク側デバイスのＴＣＩ状態内に含まれるＱＣＬ情報を受信すると、ＵＥは、最初に、ＱＣＬ情報内のＲＳに対応するＢＷＰがアクティブ化されているかどうかを検出する。ＢＷＰが、アクティブ化されている場合、これは、ＲＳが、ネットワーク側デバイスとユーザ機器との間で送信および受信され得、そのため、ＲＬＭが、実施される必要があることを意味する。したがって、ＵＥは、ＲＬＭのために、アクティブ化されたＢＷＰに対応するＲＳを選択する。
【００３１】
具体的には、ネットワーク側デバイスは、ＲＳの伝送および受信のために、複数のアクティブ化されたＢＷＰのみをＵＥに配分し得る。ＵＥが、ネットワーク側デバイスのＴＣＩ状態内に含まれるＱＣＬ情報を受信すると、ＵＥは、最初に、ＱＣＬ情報内のＲＳに対応するＢＷＰがアクティブ化されているかどうかを検出する。ＢＷＰが、アクティブ化される場合、これは、ＲＳが、ネットワーク側デバイスとユーザ機器との間で送信および受信され得、そのため、ＲＬＭが、実施される必要があることを意味する。しかしながら、複数のＲＳを検出するプロセスにおいて発生される、測定の複雑性および電力消費量の問題を考慮すると、ＲＬＭのための１つのみのＲＳが、提供される。したがって、ＵＥは、候補ＲＳとして、他の条件によってフィルタリングされる必要がある、複数個のＱＣＬ情報内のアクティブ化されたＢＷＰに対応するＲＳを使用する。
【００３２】
一実施形態では、ＵＥが、候補ＲＳとして、複数個のＱＣＬ情報内のアクティブなＢＷＰの中に位置する、複数のＲＳを選択する条件において、ＵＥがＲＳを選択し、複数個のＱＣＬ情報内のＲＳまたはＱＣＬタイプのうちの少なくとも一方に従ってＲＬＭを実施するステップはさらに、下記に説明されるステップを含む。ＵＥは、複数の候補ＲＳに対応する、アクティブ化されたＢＷＰの優先順位を構成する、またはＵＥは、ネットワーク側デバイスによって構成される、アクティブ化されたＢＷＰの優先順位を入手する、またはＵＥは、プロトコルによって規定される、アクティブ化されたＢＷＰの優先順位を入手する。ＵＥは、最高優先度を有するアクティブ化されたＢＷＰに対応するＲＳを選択し、アクティブ化されたＢＷＰの優先順位に従ってＲＬＭを実施する。
【００３３】
具体的には、プロトコルによって規定されるＢＷＰの優先順位は、ＢＷＰ１（第１のアクティブ化されたＢＷＰ）＞ＢＷＰ２（第２のアクティブ化されたＢＷＰ）＞ＢＷＰ３（第３のアクティブ化されたＢＷＰ）＞ＢＷＰ４（第４のアクティブ化されたＢＷＰ）＞．．．＞ＢＷＰｎ（第ｎのアクティブ化されたＢＷＰ（ｎは、正の整数である））である。
【００３４】
一実施形態では、ＵＥは、ＱＣＬタイプの優先順位を構成する、またはＵＥは、ネットワーク側デバイスによって構成される、ＱＣＬタイプの優先順位を入手する、またはＵＥは、プロトコルによって規定される、ＱＣＬタイプの優先順位を入手する。ＵＥは、最高優先度を有するＱＣＬタイプに対応するＲＳを選択し、ＱＣＬタイプの優先順位に従ってＲＬＭを実施する。
【００３５】
具体的には、プロトコルによって規定されるＱＣＬタイプの優先順位は、第４のＱＣＬタイプ＞第３のＱＣＬタイプ＞第２のＱＣＬタイプ＞第１のＱＣＬタイプである。
【００３６】
一実施形態では、ＵＥは、ＲＳに対応するＲＳタイプの優先順位を構成する、またはＵＥは、ネットワーク側デバイスによって構成される、ＲＳに対応するＲＳタイプの優先順位を入手する、またはＵＥは、プロトコルによって規定される、ＲＳに対応するＲＳタイプの優先順位を入手する。ＵＥは、最高優先度を有するＲＳを選択し、ＲＳタイプの優先順位に従ってＲＬＭを実施する。
【００３７】
具体的には、プロトコルによって規定されるＲＳタイプの優先順位は、ＣＳＩ−ＲＳ＞ＳＳＢ＞ＴＲＳである。
【００３８】
一実施形態では、ＵＥは、ＲＳに対応するＱＣＬタイプと、ＲＳタイプとの組み合わせ優先順位を構成する、またはＵＥは、ＲＳに対応するＲＳタイプと、ネットワーク側デバイス構成されるＱＣＬタイプとの組み合わせ優先順位を入手する、またはＵＥは、ＲＳに対応するＲＳタイプと、プロトコルによって規定されるＱＣＬタイプとの組み合わせ優先順位を入手する。ＵＥは、最高の組み合わせ優先度を有するＲＳを選択し、組み合わせ優先順位に従ってＲＬＭを実施する。
【００３９】
具体的には、プロトコルによって規定される組み合わせ優先度は、下記に説明される表１のシーケンスによって判定され得る。優先度が、０から１１に従って、最も高いものから最も低いものに配列されることに留意されたい。
【表１−１】
2021522752.tif 000003
【表１−２】
2021522752.tif 000004
【００４０】
本実施形態の上記の内容の理解を促進するために、以下のシナリオもまた、本実施形態に説明されるソリューションの理解を促進するために、本実施形態に提供されることに留意されたい。
【００４１】
実施例を容易にするために、以下のシナリオでは、ＵＥが、順序付けのために、プロトコルによって規定される優先順位を使用することが初期設定状態にされることに留意されたい。当然ながら、ＵＥによって構成される優先順位、またはネットワーク側デバイスによって構成される優先順位に従って順序付けのための方法もまた、本実施形態の保護範囲内にあり、これは、本明細書において繰り返されないであろう。
【００４２】
シナリオ１
ＵＥは、ネットワーク側デバイスによって構成される、ＰＤＣＣＨのＴＣＩ状態を受信する。ＴＣＩ状態は、ＴＣＩ状態ＩＤと、２個のＱＣＬ情報とを含む。ＲＳ１および第１のＱＣＬタイプが、第１個のＱＣＬ情報内に含まれる。ＲＳ２および第２のＱＣＬタイプが、第２個のＱＣＬ情報内に含まれる。
【００４３】
ＵＥは、２個の受信されたＱＣＬ情報内のＱＣＬタイプの優先度を判定する。したがって、第２個のＱＣＬ情報内のＱＣＬタイプの優先度が、第１個のＱＣＬ情報内のＱＣＬタイプの優先度を上回ることが判定される。したがって、ＵＥは、第２個のＱＣＬ情報内に含まれるＲＳを選択し、ＲＬＭを実施する。
【００４４】
シナリオ２
ＵＥは、ネットワーク側デバイスによって構成される、ＰＤＣＣＨのＴＣＩ状態を受信する。ＴＣＩ状態は、ＴＣＩ状態ＩＤと、３個のＱＣＬ情報とを含む。ＲＳ１、第２のＱＣＬタイプ、および第４のＱＣＬタイプが、第１個のＱＣＬ情報内に含まれる。ＲＳ２および第３のＱＣＬタイプが、第２個のＱＣＬ情報内に含まれる。ＲＳ３、第１のＱＣＬタイプ、および第２のＱＣＬタイプが、第３個のＱＣＬ情報内に含まれる。
【００４５】
ＵＥは、３個の受信されたＱＣＬ情報内のＱＣＬタイプの優先度を判定する。したがって、第１個のＱＣＬ情報が、最高優先度を有する第４のＱＣＬタイプを含み、第２個のＱＣＬ情報内に含まれる第３のＱＣＬタイプ、ならびに第３個のＱＣＬ情報内に含まれる、第１のＱＣＬタイプおよび第２のＱＣＬタイプの優先度が、第１個のＱＣＬ情報内の第４のＱＣＬタイプの優先度よりも小さいことが、判定される。したがって、ＵＥは、第１個のＱＣＬ情報内に含まれるＲＳを選択し、ＲＬＭを実施する。
【００４６】
シナリオ３
ＵＥは、ネットワーク側デバイスによって構成される、ＰＤＣＣＨのＴＣＩ状態を受信する。ＴＣＩ状態は、ＴＣＩ状態ＩＤと、２個のＱＣＬ情報とを含む。ＳＳＢおよび第２のＱＣＬタイプが、第１個のＱＣＬ情報内に含まれる。ＣＳＩ−ＲＳおよび第２のＱＣＬタイプが、第２個のＱＣＬ情報内に含まれる。
【００４７】
ＵＥは、２個の受信されたＱＣＬ情報内のＲＳタイプを判定する。したがって、第２個のＱＣＬ情報内のＣＳＩ−ＲＳのＲＳタイプの優先度が、第１個のＱＣＬ情報内のＳＳＢのＲＳタイプの優先度を上回ることが判定される。したがって、ＵＥは、第２個のＱＣＬ情報内に含まれるＲＳを選択し、ＲＬＭを実施する。
【００４８】
シナリオ４
ＵＥは、ネットワーク側デバイスによって構成される、ＰＤＣＣＨのＴＣＩ状態を受信する。ＴＣＩ状態は、ＴＣＩ状態ＩＤと、２個のＱＣＬ情報とを含む。ＳＳＢおよび第２のＱＣＬタイプが、第１個のＱＣＬ情報内に含まれる。ＣＳＩ−ＲＳおよび第４のＱＣＬタイプが、第２個のＱＣＬ情報内に含まれる。
【００４９】
ＵＥは、ＲＳタイプおよびＱＣＬタイプの両方を考慮し、ＲＬＭのためにＲＳを選択する。ＵＥは、第２個のＱＣＬ情報内のＲＳタイプと、ＱＣＬタイプとの組み合わせ優先度が、上記に説明される表１の組み合わせ優先順位に従って、最高であること、および第１個のＱＣＬ情報内のＲＳタイプと、ＱＣＬタイプとの組み合わせ優先度が、第２個のＱＣＬ情報内のＲＳタイプと、ＱＣＬタイプとの組み合わせ優先度よりも小さいことを判定する。したがって、ＵＥは、第２個のＱＣＬ情報内に含まれるＲＳを選択し、ＲＬＭを実施する。
【００５０】
シナリオ５
ＵＥは、ネットワーク側デバイスによって構成される、ＰＤＣＣＨのＴＣＩ状態を受信する。ＴＣＩ状態は、ＴＣＩ状態ＩＤと、２個のＱＣＬ情報とを含む。ＴＲＳおよび第１のＱＣＬタイプが、第１個のＱＣＬ情報内に含まれる。ＣＳＩ−ＲＳ１および第３のＱＣＬタイプが、第２個のＱＣＬ情報内に含まれる。
【００５１】
ＵＥは、ＲＳタイプおよびＱＣＬタイプの両方を考慮し、ＲＬＭのためにＲＳを選択する。ＵＥは、第１個のＱＣＬ情報内のＲＳタイプと、ＱＣＬタイプとの組み合わせ優先度が、上記に説明される表１の優先順位に従って、第２個のＱＣＬ情報内のＲＳタイプと、ＱＣＬタイプとの組み合わせ優先度を上回ることを判定する。したがって、ＵＥは、ＲＬＭのために、第２個のＱＣＬ情報内に含まれるＲＳの代わりに、第１個のＱＣＬ情報内に含まれるＲＳを選択する。
【００５２】
シナリオ６
ＵＥは、ネットワーク側デバイスによって構成される、ＰＤＣＣＨのＴＣＩ状態を受信する。ＴＣＩ状態は、ＴＣＩ状態ＩＤと、複数個のＱＣＬ情報とを含む。ネットワーク側デバイスによって配分されるＢＷＰのうちの１つのみのＢＷＰが、ＵＥによってアクティブ化される。また、他のＢＷＰは、アクティブ化されない。第１個のＱＣＬ情報内に含まれるＲＳ１は、アクティブなＢＷＰ内に位置していない。第２個のＱＣＬ情報内に含まれるＲＳ２は、非アクティブなＢＷＰ内に位置する。
【００５３】
ＵＥは、ネットワーク側デバイスによって構成される、複数個のＱＣＬ情報および複数のＢＷＰを入手することによって、第１個のＱＣＬ情報内のＲＳ１のみが、アクティブなＢＷＰ内にあることを判定する。したがって、ＵＥは、ＲＬＭのために、アクティブなＢＷＰ内に位置する、１つのみのＲＳ１を選択する。
【００５４】
シナリオ７
ＵＥは、ネットワーク側デバイスによって構成される、ＰＤＣＣＨのＴＣＩ状態を受信する。ＴＣＩ状態は、ＴＣＩ状態ＩＤと、３個のＱＣＬ情報とを含む。ネットワーク側デバイスによって配分されるＢＷＰのうちの１つのみのＢＷＰが、アクティブ化される。また、他のＢＷＰは、アクティブ化されない。第１個のＱＣＬ情報内のＲＳ１および第１個のＱＣＬ情報内のＲＳ２は、アクティブなＢＷＰ内にある。第３個のＱＣＬ情報内に含まれるＲＳ３は、非アクティブなＢＷＰ内にある。同時に、ＲＳ１および第１のＱＣＬタイプは、第１個のＱＣＬ情報内に含まれる。ＲＳ２および第２のＱＣＬタイプは、第２個のＱＣＬ情報内に含まれる。
【００５５】
ＵＥは、ネットワーク側デバイスによって構成される、複数個のＱＣＬ情報および複数のＢＷＰを入手することによって、第１個のＱＣＬ情報内のＲＳ１および第２個のＱＣＬ情報内のＲＳ２が、アクティブなＢＷＰ内にあることを判定する。これは、ＱＣＬ情報内のどのＲＳがＲＬＭのために使用されるかを判定することはできない。したがって、ＵＥは、後続のさらなる選別のために、第１個のＱＣＬ情報内のＲＳ１および第２個のＱＣＬ情報内のＲＳ２を、ＲＬＭのための候補ＲＳとして使用する。
【００５６】
ＵＥは、この場合、２個の受信されたＱＣＬ情報内のＲＳタイプを判定する必要がある。したがって、第２個のＱＣＬ情報内の第２のＱＣＬタイプの優先度が、第１個のＱＣＬ情報内の第１のＱＣＬタイプの優先度を上回ることが判定される。したがって、ＵＥは、第２個のＱＣＬ情報内に含まれるＲＳを選択し、ＲＬＭを実施する。
【００５７】
シナリオ８
ＵＥは、ネットワーク側デバイスによって構成される、ＰＤＳＣＨのＴＣＩ状態を受信する。ＴＣＩ状態は、ＴＣＩ状態ＩＤと、４個のＱＣＬ情報とを含む。ＵＥは、ＢＷＰ１、ＢＷＰ２、およびＢＷＰ３が、ネットワーク側デバイスによって配分されるＢＷＰ内でアクティブ化され、他のＢＷＰが、アクティブ化されないことを受信する。
【００５８】
第１個のＱＣＬ情報は、アクティブなＢＷＰ３内に位置する、第１のＱＣＬタイプと、ＣＳＩ−ＲＳとを含む。第２個のＱＣＬ情報は、アクティブなＢＷＰ１内に位置する、第２のＱＣＬタイプと、ＴＲＳとを含む。第３個のＱＣＬ情報は、アクティブなＢＷＰ１内に位置する、第３のＱＣＬタイプと、ＳＳＢとを含む。第４個のＱＣＬ情報は、非アクティブなＢＷＰ内に位置する、第４のＱＣＬタイプと、ＣＳＩ−ＲＳとを含む。
【００５９】
ＵＥは、第２個のＱＣＬ情報内のＴＲＳおよび第３個のＱＣＬ情報内のＳＳＢに対応するアクティブなＢＷＰの優先度が、同一であり、第１個のＱＣＬ情報内のＣＳＩ−ＲＳに対応するアクティブなＢＷＰ３の優先度を上回ることを判定する。同時に、第４個のＱＣＬ情報内のＣＳＩ−ＲＳは、非アクティブなＢＷＰ内に位置する。したがって、ＵＥは、第２個のＱＣＬ情報内のＴＲＳおよび第３個のＱＣＬ情報内のＳＳＢを、ＲＬＭのための候補ＲＳとして使用する。
【００６０】
第１個のＱＣＬ情報内のＲＳ１および第２個のＱＣＬ情報内のＲＳ２は、アクティブなＢＷＰ内にある。これは、ＱＣＬ情報内のどのＲＳがＲＬＭのために使用されるかを判定することはできない。したがって、ＵＥは、後続のさらなる選別のために、第１個のＱＣＬ情報内のＲＳ１および第２個のＱＣＬ情報内のＲＳ２を、ＲＬＭのための候補ＲＳとして使用する。
【００６１】
ＵＥは、第２個のＱＣＬ情報内のＲＳタイプと、ＱＣＬタイプとの組み合わせ優先度が、上記に説明される表１の優先順位に従って、第３個のＱＣＬ情報内のＲＳタイプと、ＱＣＬタイプとの組み合わせ優先度を上回ることを判定する。したがって、ＵＥは、ＲＬＭのために、第３個のＱＣＬ情報内に含まれるＲＳの代わりに、第２個のＱＣＬ情報内に含まれるＲＳを選択する。
【００６２】
上記の具体的な実施例が、包括的ではないことに留意されたい。本開示の着想に基づく任意の選択ソリューションは、本実施形態の保護範囲内にある。
【００６３】
上記のステップを通して、好適なＲＳが、ＲＬＭを実施するために選択され得ないため、複数のＴＣＩ状態内で全てのＲＳを検出するときに関連技術においてＵＥにもたらされる、測定の複雑性および電力消費量に関連する多くの問題が、解決され、ＵＥの測定オーバーヘッドを低減させる効果を達成する。
【００６４】
上記に説明される実装モードの説明から、上記の実施形態の方法が、ソフトウェアおよび汎用目的ハードウェアプラットフォームを用いて実装され得る、または当然ながら、ハードウェアによって実装され得ることが、当業者に明白となるであろう。本理解に基づいて、関連技術に実質的または部分的に寄与する本開示のソリューションが、ソフトウェア製品の形態で具現化され得る。コンピュータソフトウェア製品は、（読取専用メモリ（ＲＯＭ）／ランダムアクセスメモリ（ＲＡＭ）、磁気ディスクまたは光ディスク等の）記憶媒体内に記憶され、端末デバイス（形態電話、コンピュータ、サーバ、ネットワークデバイス、もしくは同等物であり得る）が本開示の１つ以上の実施形態に従って本方法を実行することを可能にするための、複数の命令を含む。
【００６５】
実施形態２
本開示のある実施形態はさらに、上記に述べられる実施形態および実装モードを実装するための、リソースを選択するための装置を提供する。説明されているものは、繰り返されないであろう。下記に使用されるように、用語「モジュール」は、所定の機能を実装することが可能である、ソフトウェア、ハードウェア、またはそれらの組み合わせであり得る。実施形態において下記に説明されるデバイスは、ソフトウェアによって実装され得るが、ハードウェアによる、またはソフトウェアと、ハードウェアとの組み合わせによる実装もまた、可能性として考えられ、想起される。
【００６６】
図３は、本開示の実施形態に従ってリソースを選択するための装置の構造図である。図３に示されるように、本装置は、第１の受信モジュール３２と、選択モジュール３４とを含む。
【００６７】
第１の受信モジュール３２は、ネットワーク側デバイスによって構成される、ダウンリンクの伝送構成インジケータ（ＴＣＩ）状態を受信するために使用され、ＴＣＩ状態は、少なくとも、複数個の疑似コロケーション（ＱＣＬ）情報を含み、複数個のＱＣＬ情報は、少なくとも、基準信号（ＲＳ）と、ＲＳに対応する、ＱＣＬタイプとを含む。
【００６８】
選択モジュール３４は、ＲＳを選択し、ＲＳまたはＱＣＬタイプのうちの少なくとも一方に従って無線リンク監視（ＲＬＭ）を実施するために使用される。
【００６９】
図４は、本開示の実施形態に従ってリソースを選択するための別の装置の構造図である。図４に示されるように、本装置はさらに、図３に示されるモジュールの全てに加えて、第２の受信モジュール４２と、伝送モジュール４４とを含む。
【００７０】
第２の受信モジュール４２は、ネットワーク側デバイスによって構成される、複数の帯域幅部分（ＢＷＰ）を受信するために使用され、複数のＢＷＰは、ネットワーク側デバイスによってシステム帯域幅を複数の部分に分割することによって取得される。
【００７１】
伝送モジュールは、ネットワーク側デバイスによって構成される、複数のＢＷＰ内の１つ以上のアクティブ化されたＢＷＰ上で、ネットワーク側デバイスによって送信される信号を受信する、またはネットワーク側デバイスによって構成される、複数のＢＷＰ内の１つ以上のアクティブ化されたＢＷＰ上で、ネットワーク側デバイスに信号を送信するように構成される。
【００７２】
一実施形態では、選択モジュール３４はさらに、複数個のＱＣＬ情報内のアクティブ化されたＢＷＰの中に位置する、１つのＲＳを選択し、ＲＬＭを実施する、または候補ＲＳとして、複数個のＱＣＬ情報内のアクティブ化されたＢＷＰの中に位置する、複数のＲＳを選択するために使用され、候補ＲＳは、ＲＬＭを実施される能力を有する。
【００７３】
一実施形態では、複数個のＱＣＬ情報内のアクティブ化されたＢＷＰの中に位置する、複数のＲＳが、候補ＲＳとして選択される条件において、選択モジュール３４はさらに、複数の候補ＲＳに対応する、アクティブ化されたＢＷＰの優先順位を構成する、またはネットワーク側デバイスによって構成される、アクティブ化されたＢＷＰの優先順位を入手する、またはプロトコルによって規定される、アクティブ化されたＢＷＰの優先順位を入手し、最高優先度を有するアクティブ化されたＢＷＰに対応するＲＳを選択し、アクティブ化されたＢＷＰの優先順位に従ってＲＬＭを実施するために使用される。
【００７４】
一実施形態では、選択モジュールはさらに、ＱＣＬタイプの優先順位を構成する、またはネットワーク側デバイスによって構成される、ＱＣＬタイプの優先順位を入手する、またはプロトコルによって規定される、ＱＣＬタイプの優先順位を入手し、最高優先度を有するＱＣＬタイプに対応するＲＳを選択し、ＱＣＬタイプの優先順位に従ってＲＬＭを実施するために使用される。
【００７５】
一実施形態では、選択モジュール３４はさらに、ＲＳに対応するＲＳタイプの優先順位構成する、またはネットワーク側デバイスによって構成される、ＲＳに対応するＲＳタイプの優先順位を入手する、またはプロトコルによって規定される、ＲＳに対応するＲＳタイプの優先順位を入手し、最高優先度を有するＲＳを選択し、ＲＳタイプの優先順位に従ってＲＬＭを実施するために使用される。
【００７６】
一実施形態では、選択モジュール３４はさらに、ＵＥによって、ＲＳに対応するＱＣＬタイプと、ＲＳタイプとの組み合わせ優先順位を構成する、またはＵＥによって、ＲＳに対応するＲＳタイプと、ネットワーク側デバイスによって構成されるＱＣＬタイプとの組み合わせ優先順位を入手する、またはＵＥによって、ＲＳに対応するＲＳタイプと、プロトコルによって規定されるＱＣＬタイプとの組み合わせ優先順位を入手し、最高の組み合わせ優先度を有するＲＳを選択し、組み合わせ優先順位に従ってＲＬＭを実施するために使用される。
【００７７】
上記に説明される上記のモジュールが、ソフトウェアまたはハードウェアによって実装され得ることに留意されたい。ハードウェアによる実装は、必ずしもではないが、以下の様式で実施されてもよく、すなわち、上記に説明される上記のモジュールは、同一のプロセッサの中に位置する、または任意の組み合わせで、上記に説明される種々のモジュールは、異なるプロセッサの中に位置する。
【００７８】
実施形態３
本開示のある実施形態はさらに、記憶媒体を提供する。記憶媒体は、起動し、上記に述べられる方法実施形態のいずれか１つのステップを実行するとき、コンピュータプログラムを記憶するように構成される。
【００７９】
一実施形態では、本実施形態において、前述の記憶媒体は、下記に説明されるステップを実行するためのコンピュータプログラムを記憶するように構成されてもよい。
【００８０】
Ｓ１において、ユーザ機器（ＵＥ）は、ネットワーク側デバイスによって構成される、ダウンリンクの伝送構成インジケータ（ＴＣＩ）状態を受信し、ＴＣＩ状態は、少なくとも、複数個の疑似コロケーション（ＱＣＬ）情報を含み、複数個のＱＣＬ情報は、少なくとも、基準信号（ＲＳ）と、ＲＳに対応する、ＱＣＬタイプとを含む。
【００８１】
Ｓ２において、ＵＥは、ＲＳを選択し、ＲＳまたはＱＣＬタイプのうちの少なくとも一方に従って無線リンク監視（ＲＬＭ）を実施する。
【００８２】
一実施形態では、本実施形態において、記憶媒体は、限定ではないが、ユニバーサルシリアルバスフラッシュディスク、読取専用メモリ（ＲＯＭ）、ランダムアクセスメモリ（ＲＡＭ）、モバイルハードディスク、磁気ディスク、光ディスク、またはコンピュータプログラムを記憶することが可能である、別の媒体を含み得る。
【００８３】
実施形態４
本開示のある実施形態はさらに、メモリと、プロセッサとを含む、電子装置を提供し、メモリは、コンピュータプログラムを記憶するように構成され、プロセッサは、上記に説明される方法実施形態のいずれか１つにおけるステップを実行するための、コンピュータプログラムを実行するように構成される。
【００８４】
一実施形態では、上記に説明される電子装置はさらに、伝送デバイスと、入出力デバイスとを含んでもよく、伝送デバイスおよび入出力デバイスは両方とも、上記に説明されるプロセッサに接続される。
【００８５】
一実施形態では、本実施形態において、上記のプロセッサは、コンピュータプログラムを通して下記に説明されるステップを実行するように構成されてもよい。
【００８６】
Ｓ１において、ユーザ機器（ＵＥ）は、ネットワーク側デバイスによって構成される、ダウンリンクの伝送構成インジケータ（ＴＣＩ）状態を受信し、ＴＣＩ状態は、少なくとも、複数個の疑似コロケーション（ＱＣＬ）情報を含み、複数個のＱＣＬ情報は、少なくとも、基準信号（ＲＳ）と、ＲＳに対応する、ＱＣＬタイプとを含む。
【００８７】
Ｓ２において、ＵＥは、ＲＳを選択し、ＲＳまたはＱＣＬタイプのうちの少なくとも一方に従って無線リンク監視（ＲＬＭ）を実施する。
【００８８】
一実施形態では、本実施形態の具体的実施例に関して、実施形態に説明される実施例および上記に説明される随意の実装を参照されたく、具体的実施例は、本実施形態においては説明されないであろう。
【００８９】
明らかなこととして、上記に説明される本開示のモジュールまたはステップが、汎用目的コンピューティング装置によって実装され得ること、モジュールまたはステップが、単一のコンピューティング装置上に集中される、もしくは複数のコンピューティング装置から構成されるネットワーク上に分散され得ること、代替として、モジュールまたはステップが、モジュールまたはステップが、記憶装置の中に記憶され、コンピューティング装置によって実行され得るように、コンピューティング装置によって実行可能なプログラムコードによって実装され得ることが、当業者によって理解されるはずである。いくつかの状況では、例証または説明されるステップは、本明細書に説明されるものと異なるシーケンスで実行されてもよい、もしくはモジュールまたはステップは、別個に１つ以上の集積回路モジュールに作製されてもよい、もしくはその中の複数のモジュールまたはステップは、実装のために単一の集積回路モジュールに作製されてもよい。このように、本開示は、ハードウェアとソフトウェアとのいかなる具体的な組み合わせにも限定されない。
【図１】
2021522752.tif 000005
【図２】
2021522752.tif 000006
【図３】
2021522752.tif 000007
【図４】
2021522752.tif 000008
【手続補正書】
【提出日】令和2年12月29日(2020.12.29)
【手続補正１】
【補正対象書類名】特許請求の範囲
【補正対象項目名】全文
【補正方法】変更
【補正の内容】
【特許請求の範囲】
【請求項１】
リソースを選択するための方法であって、
ユーザ機器（ＵＥ）によって、ダウンリンク伝送の伝送構成インジケータ（ＴＣＩ）状態を受信することであって、前記ＴＣＩ状態は、疑似コロケーション（ＱＣＬ）情報を含み、前記ＱＣＬ情報は、複数の基準信号（ＲＳ）と、複数のＱＣＬタイプとの間の対応を含む、ことと、
前記ＵＥによって、前記複数のＱＣＬタイプのうちの１つに従って前記複数のＲＳのうちの１つを選択することと、
前記ＵＥによって、前記ＲＳに従って無線リンク監視（ＲＬＭ）を実施することと
を含む、方法。
【請求項２】
前記複数のＲＳのうちの１つを選択するステップは、前記ＵＥによって、アクティブなＢＷＰの中に位置する前記ＲＳを選択することをさらに含み、前記アクティブなＢＷＰは、前記ＱＣＬ情報内に示されている、請求項１に記載の方法。
【請求項３】
前記ＲＳは、同期信号および物理ブロードキャストチャネルブロック（ＳＳ／ＰＢＣＨブロック）、またはチャネル状態情報基準信号（ＣＳＩ−ＲＳ）のうちの少なくとも１つを含む、請求項１に記載の方法。
【請求項４】
前記ＱＣＬタイプは、
ドプラ偏移、ドプラ分散、平均遅延、および遅延分散を搬送する、第１のＱＣＬタイプと、
ドプラ偏移およびドプラ分散を搬送する、第２のＱＣＬタイプと、
平均遅延およびドプラ偏移を搬送する、第３のＱＣＬタイプと、
空間受信（Ｒｘ）パラメータを搬送する、第４のＱＣＬタイプと
を含む、請求項１に記載の方法。
【請求項５】
前記ダウンリンク伝送は、物理ダウンリンク制御チャネル（ＰＤＣＣＨ）を含む、請求項１に記載の方法。
【請求項６】
リソースを選択するための方法であって、
ユーザ機器（ＵＥ）によって、ダウンリンク伝送の伝送構成インジケータ（ＴＣＩ）状態を受信することであって、前記ＴＣＩ状態は、疑似コロケーション（ＱＣＬ）情報を含み、前記ＱＣＬ情報は、複数の基準信号（ＲＳ）と、複数のＱＣＬタイプとの間の対応を含み、前記複数のＱＣＬタイプは、
ドプラ偏移、ドプラ分散、平均遅延、および遅延分散を搬送する、第１のＱＣＬタイプと、
ドプラ偏移およびドプラ分散を搬送する、第２のＱＣＬタイプと、
平均遅延およびドプラ偏移を搬送する、第３のＱＣＬタイプと、
空間受信（Ｒｘ）パラメータを搬送する、第４のＱＣＬタイプと
を含む、ことと、
前記ＵＥによって、前記第４のＱＣＬタイプに従って前記複数のＲＳのうちの１つを選択することと、
前記ＵＥによって、前記ＲＳに従って無線リンク監視（ＲＬＭ）を実施することと
を含む、方法。
【請求項７】
前記複数のＲＳのうちの１つを選択するステップは、前記ＵＥによって、アクティブなＢＷＰの中に位置する前記ＲＳを選択することをさらに含み、前記アクティブなＢＷＰは、前記ＱＣＬ情報内に示されている、請求項６に記載の方法。
【請求項８】
前記ＲＳは、同期信号および物理ブロードキャストチャネルブロック（ＳＳ／ＰＢＣＨブロック）、またはチャネル状態情報基準信号（ＣＳＩ−ＲＳ）のうちの少なくとも１つを含む、請求項６に記載の方法。
【請求項９】
前記ダウンリンク伝送は、物理ダウンリンク制御チャネル（ＰＤＣＣＨ）を含む、請求項６に記載の方法。
【請求項１０】
メモリと、プロセッサとを備える、装置であって、前記メモリは、コンピュータプログラムを記憶するように構成され、前記プロセッサは、請求項６に記載の方法を実行するために、前記コンピュータプログラムを実行するように構成されている、装置。
【請求項１１】
メモリと、プロセッサとを備える、装置であって、前記メモリは、コンピュータプログラムを記憶するように構成され、前記プロセッサは、請求項７に記載の方法を実行するために、前記コンピュータプログラムを実行するように構成されている、装置。
【請求項１２】
メモリと、プロセッサとを備える、装置であって、前記メモリは、コンピュータプログラムを記憶するように構成され、前記プロセッサは、請求項８に記載の方法を実行するために、前記コンピュータプログラムを実行するように構成されている、装置。
【請求項１３】
メモリと、プロセッサとを備える、装置であって、前記メモリは、コンピュータプログラムを記憶するように構成され、前記プロセッサは、請求項９に記載の方法を実行するために、前記コンピュータプログラムを実行するように構成されている、装置。
【手続補正２】
【補正対象書類名】明細書
【補正対象項目名】００１０
【補正方法】変更
【補正の内容】
【００１０】
本開示の別の実施形態によると、メモリと、プロセッサとを含む、電子装置がさらに、提供される。メモリは、コンピュータプログラムを記憶するように構成され、プロセッサは、上記に説明される方法実施形態のいずれか１つのステップを実行するためにコンピュータプログラムを実行するように構成される。
本願明細書は、例えば、以下の項目も提供する。
（項目１）
リソースを選択するための方法であって、
ユーザ機器（ＵＥ）によって、ネットワーク側デバイスによって構成されるダウンリンクの伝送構成インジケータ（ＴＣＩ）状態を受信することであって、前記ＴＣＩ状態は、少なくとも、複数個の疑似コロケーション（ＱＣＬ）情報を含み、前記複数個のＱＣＬ情報は、少なくとも、基準信号（ＲＳ）と、前記ＲＳに対応するＱＣＬタイプとを含む、ことと、
前記ＵＥによって、ＲＳを選択し、前記ＲＳまたは前記ＱＣＬタイプのうちの少なくとも一方に従って無線リンク監視（ＲＬＭ）を実施することと
を含む、方法。
（項目２）
前記ＵＥによって、前記ネットワーク側デバイスによって構成される複数の帯域幅部分（ＢＷＰ）を受信することであって、前記複数のＢＷＰは、前記ネットワーク側デバイスによってシステム帯域幅を複数の部分に分割することによって取得される、ことと、
前記ＵＥによって、前記ネットワーク側デバイスによって構成される前記複数のＢＷＰ内の１つ以上のアクティブなＢＷＰ上で、前記ネットワーク側デバイスによって送信される信号を受信すること、または前記ＵＥによって、前記ネットワーク側デバイスによって構成される前記複数のＢＷＰ内の１つ以上のアクティブなＢＷＰ上で、前記ネットワーク側デバイスに信号を伝送することと
をさらに含む、項目１に記載の方法。
（項目３）
前記ＵＥによって、前記ＲＳを選択し、前記ＲＳまたは前記ＱＣＬタイプのうちの少なくとも一方に従って前記ＲＬＭを実施することは、
前記ＵＥによって、前記複数個のＱＣＬ情報内の前記アクティブなＢＷＰの中に位置する、１つのＲＳを選択し、前記ＲＬＭを実施すること、または
前記ＵＥによって、候補ＲＳとして、前記複数個のＱＣＬ情報内の前記アクティブなＢＷＰの中に位置する、複数のＲＳを選択することであって、前記候補ＲＳは、前記ＲＬＭを実施される能力を有する、こと
を含む、項目２に記載の方法。
（項目４）
前記ＵＥが、前記候補ＲＳとして、前記複数個のＱＣＬ情報内の前記アクティブなＢＷＰの中に位置する、前記複数のＲＳを選択する条件において、前記ＵＥによって、前記ＲＳを選択し、前記複数個のＱＣＬ情報内の前記ＲＳまたは前記ＱＣＬタイプのうちの少なくとも一方に従って前記ＲＬＭを実施することはさらに、
前記ＵＥによって、複数の前記候補ＲＳに対応する、前記アクティブなＢＷＰの優先順位を構成すること、または前記ＵＥによって、前記ネットワーク側デバイスによって構成される、前記アクティブなＢＷＰの優先順位を入手すること、または前記ＵＥによって、プロトコルによって規定される、前記アクティブなＢＷＰの優先順位を入手することと、
前記ＵＥによって、最高優先度を有するアクティブなＢＷＰに対応するＲＳを選択し、前記アクティブなＢＷＰの優先順位に従って前記ＲＬＭを実施することと
を含む、項目３に記載の方法。
（項目５）
前記ＵＥによって、前記ＲＳを選択し、前記ＱＣＬタイプに従って前記ＲＬＭを実施することはさらに、
前記ＵＥによって、前記ＱＣＬタイプの優先順位を構成すること、または前記ＵＥによって、前記ネットワーク側デバイスによって構成される、前記ＱＣＬタイプの優先順位を入手すること、または前記ＵＥによって、前記プロトコルによって規定される、前記ＱＣＬタイプの優先順位を入手することと、
前記ＵＥによって、最高優先度を有するＱＣＬタイプに対応するＲＳを選択し、前記ＱＣＬタイプの優先順位に従って前記ＲＬＭを実施することと
を含む、項目１−４のいずれか１項に記載の方法。
（項目６）
前記ＵＥによって、前記ＲＳを選択し、前記ＲＳに従って前記ＲＬＭを実施することはさらに、
前記ＵＥによって、前記ＲＳに対応するＲＳタイプの優先順位を構成すること、または前記ＵＥによって、前記ネットワーク側デバイスによって構成される、前記ＲＳに対応するＲＳタイプの優先順位を入手すること、または前記ＵＥによって、前記プロトコルによって規定される、前記ＲＳに対応するＲＳタイプの優先順位を入手することと、
前記ＵＥによって、最高優先度を有するＲＳを選択し、前記ＲＳタイプの優先順位に従って前記ＲＬＭを実施することと
を含む、項目１−４のいずれか１項に記載の方法。
（項目７）
前記ＵＥによって、前記ＲＳを選択し、前記ＲＳおよび前記ＱＣＬタイプに従って前記ＲＬＭを実施することはさらに、
前記ＵＥによって、前記ＲＳに対応する、前記ＱＣＬタイプとＲＳタイプとの組み合わせ優先順位を構成すること、または前記ＵＥによって、前記ＲＳに対応するＲＳタイプと、前記ネットワーク側デバイス構成される前記ＱＣＬタイプとの組み合わせ優先順位を入手すること、または前記ＵＥによって、前記ＲＳに対応するＲＳタイプと、前記プロトコルによって規定される前記ＱＣＬタイプとの組み合わせ優先順位を入手することと、
前記ＵＥによって、最高の組み合わせ優先度を有するＲＳを選択し、前記組み合わせ優先順位に従って前記ＲＬＭを実施することと
を含む、項目１−４のいずれか１項に記載の方法。
（項目８）
ＲＳタイプは、同期信号および物理ブロードキャストチャネルブロック（ＳＳ／ＰＢＣＨブロック）、チャネル状態情報基準信号（ＣＳＩ−ＲＳ）、または追跡基準信号（ＴＲＳ）のうちの少なくとも１つを含む、項目１に記載の方法。
（項目９）
前記ＱＣＬタイプは、
ドプラ偏移、ドプラ分散、平均遅延、および遅延分散を搬送する、第１のＱＣＬタイプ、
ドプラ偏移およびドプラ分散を搬送する、第２のＱＣＬタイプ、
平均遅延およびドプラ偏移を搬送する、第３のＱＣＬタイプ、または
空間受信（Ｒｘ）パラメータを搬送する、第４のＱＣＬタイプ
うちの少なくとも１つを含む、項目１に記載の方法。
（項目１０）
前記ダウンリンクは、物理ダウンリンク制御チャネル（ＰＤＣＣＨ）または物理ダウンリンク共有チャネル（ＰＤＳＣＨ）を含む、項目１に記載の方法。
（項目１１）
ユーザ機器（ＵＥ）内に位置する、リソースを選択するための装置であって、
ネットワーク側デバイスによって構成されるダウンリンクの伝送構成インジケータ（ＴＣＩ）状態を受信するように構成されている、第１の受信モジュールであって、前記ＴＣＩ状態は、少なくとも、複数個の疑似コロケーション（ＱＣＬ）情報を含み、前記複数個のＱＣＬ情報は、少なくとも、基準信号（ＲＳ）と、前記ＲＳに対応するＱＣＬタイプとを含む、第１の受信モジュールと、
ＲＳを選択し、前記ＲＳまたは前記ＱＣＬタイプのうちの少なくとも一方に従って無線リンク監視（ＲＬＭ）を実施するように構成されている、選択モジュールと
を備える、装置。
（項目１２）
前記ネットワーク側デバイスによって構成される複数の帯域幅部分（ＢＷＰ）を受信するように構成されている、第２の受信モジュールであって、前記複数のＢＷＰは、前記ネットワーク側デバイスによってシステム帯域幅を複数の部分に分割することによって取得される、第２の受信モジュールと、
前記ネットワーク側デバイスによって構成される前記複数のＢＷＰ内の１つ以上のアクティブなＢＷＰ上で、前記ネットワーク側デバイスによって送信される信号を受信すること、または前記ネットワーク側デバイスによって構成される前記複数のＢＷＰ内の１つ以上のアクティブなＢＷＰ上で、前記ネットワーク側デバイスに前記信号を送信することを行うように構成されている、伝送モジュールと
をさらに備える、項目１１に記載の装置。
（項目１３）
前記選択モジュールは、
前記複数個のＱＣＬ情報内の前記アクティブなＢＷＰの中に位置する１つのＲＳを選択し、前記ＲＬＭを実施すること、または候補ＲＳとして、前記アクティブなＢＷＰ内、および前記複数個のＱＣＬ情報内に位置する、複数のＲＳを選択することであって、前記候補ＲＳは、前記ＲＬＭを実施される能力を有する、こと
を行うように構成されている、項目１１に記載の装置。
（項目１４）
前記アクティブなＢＷＰ内、および前記複数個のＱＣＬ情報内に位置する、前記複数のＲＳが、前記候補ＲＳとして選択される条件において、前記選択モジュールはさらに、
複数の前記候補ＲＳに対応する、前記アクティブなＢＷＰの優先順位を構成すること、または前記ネットワーク側デバイスによって構成される、前記アクティブなＢＷＰの優先順位を入手すること、またはプロトコルによって規定される、前記アクティブなＢＷＰの優先順位を入手することと、
最高優先度を有するアクティブなＢＷＰに対応するＲＳを選択し、前記アクティブなＢＷＰの優先順位に従って前記ＲＬＭを実施することと
を行うように構成されている、項目１３に記載の装置。
（項目１５）
前記選択モジュールはさらに、
前記ＱＣＬタイプの優先順位を構成すること、または前記ネットワーク側デバイスによって構成される、前記ＱＣＬタイプの優先順位を入手すること、または前記プロトコルによって規定される、前記ＱＣＬタイプの優先順位を入手することと、
最高優先度を有するＱＣＬタイプに対応するＲＳを選択し、前記ＱＣＬタイプの優先順位に従って前記ＲＬＭを実施することと
を行うように構成されている、項目１１−１４のいずれか１項に記載の装置。
（項目１６）
前記選択モジュールはさらに、
前記ＲＳに対応するＲＳタイプの優先順位構成すること、または前記ネットワーク側デバイスによって構成される、前記ＲＳに対応するＲＳタイプの優先順位を入手すること、または前記プロトコルによって規定される、前記ＲＳに対応するＲＳタイプの優先順位を入手することと、
最高優先度を有するＲＳを選択し、前記ＲＳタイプの優先順位に従って前記ＲＬＭを実施することと
を行うように構成されている、項目１１−１４のいずれか１項に記載の装置。
（項目１７）
前記選択モジュールはさらに、
前記ＵＥによって、前記ＲＳに対応する、前記ＱＣＬタイプとＲＳタイプとの組み合わせ優先順位を構成すること、または前記ＵＥによって、前記ＲＳに対応するＲＳタイプと、前記ネットワーク側デバイスによって構成される前記ＱＣＬタイプとの組み合わせ優先順位を入手すること、または前記ＵＥによって、前記ＲＳに対応するＲＳタイプと、前記プロトコルによって規定される前記ＱＣＬタイプとの組み合わせ優先順位を入手することと、
最高の組み合わせ優先度を有するＲＳを選択し、前記組み合わせ優先順位に従って前記ＲＬＭを実施することと
を行うように構成されている、項目１１−１４のいずれか１項に記載の装置。
（項目１８）
コンピュータ命令を記憶するように構成されている、記憶媒体であって、前記コンピュータ命令は、実行されると、項目１−１０のいずれか１項に記載の方法を実行する、記憶媒体。
（項目１９）
メモリと、プロセッサとを備える、電子装置であって、前記メモリは、コンピュータプログラムを記憶するように構成され、前記プロセッサは、項目１−１０のいずれか１項に記載の方法を実行するために、前記コンピュータプログラムを実行するように構成されている、電子装置。
【国際調査報告】
2021522752.tif 000009
2021522752.tif 000010
2021522752.tif 000011
2021522752.tif 000012